(57)【要約】【課題】電気機器をパッケージハウス内に収納した状態で輸送することができ、かつ輸送時における電気機器の損傷を防止できる電気機器収納用パッケージハウスを得る。【解決手段】電気機器２を収納するパッケージハウス１において、輸送時には電気機器２をパッケージハウス１のコーナー部に配置し、電気機器２の二側面を壁３で、残りの二側面に各々支持材４を取り付けることにより電気機器２を四方から固定し、据付時には車輪５ａを有する可動台車５に設置されている電気機器２を可動床６および床面に敷設されたレール６ａ、７ａ、８ａを利用して機器据付部９に電気機器２を移動させる。【選択図】        図１
2004173448.tif 000002
【特許請求の範囲】
【請求項１】
発電所等に設置され、電気機器を収納する電気機器収納用パッケージハウスにおいて、
上記電気機器が設置され、下面に車輪を有する可動台車と、
上記パッケージハウスの一コーナー部に一時的に配置される上記電気機器の二側面を固定する取り外し可能なリジットな支持材と、
上記パッケージハウスのほぼ中央部に設けられ、上記可動台車に設置されている上記電気機器が据え付けられる機器据付部と、
上記パッケージハウスの上記コーナー部と上記機器据付部の間に敷設され、上記コーナー部と上記機器据付部に車輪止めを有するレールとを備え、
上記パッケージハウスの輸送時には、上記パッケージハウス内で上記可動台車に設置されている上記電気機器は、上記コーナー部の車輪止めにより上記可動台車の車輪が固定されると共に、上記コーナー部で壁および上記支持材により四方を固定され、
上記パッケージハウスおよび上記電気機器の据付時には、上記支持材を取り外すと共に上記コーナー部の車輪止めを解除し、上記電気機器が設置されている上記可動台車をその車輪により上記レールに沿って上記機器据付部まで移動させ、上記機器据付部の車輪止めにより上記可動台車の車輪を固定することを特徴とする電気機器収納用パッケージハウス。
【請求項２】
上記パッケージハウスの上記コーナー部と上記機器据付部の間に敷設されたレールとは、上記パッケージハウスの上記コーナー部を含み、床面が上記パッケージハウスの床面より低く構成された機器移動エリアの床面に敷設されたレールと、
上記機器移動エリアにおいて上記可動台車を搭載する可動床上に敷設されたレールと、
上記可動床が上記機器移動エリアの所定の位置にあるときに、上記可動床上のレールと繋がり、上記機器据付部まで延伸する上記パッケージハウスの床面に敷設されたレールであり、
上記パッケージハウスの輸送時に上記電気機器が固定される上記パッケージハウスの上記コーナー部においては、上記電気機器が設置されている上記可動台車は上記可動床に搭載され、上記可動床のレールに設けられた車輪止めにより上記可動台車の車輪が固定され、
上記パッケージハウスおよび上記電気機器の据付時には、上記可動床をその下面に設けた車輪により上記機器移動エリアのレールに沿って所定の位置まで移動させた後、上記電気機器が設置されている上記可動台車をその車輪により上記可動床上のレールおよび上記パッケージハウス床面に敷設されたレールに沿って上記機器据付部まで移動させることを特徴とする請求項１記載の電気機器収納用パッケージハウス。
【請求項３】
発電所等に設置され、電気機器を収納する電気機器収納用パッケージハウスにおいて、
上記パッケージハウスの一側壁を構成する可動側壁と、
上記パッケージハウス内で上記可動側壁と平行な位置に設けられた可動仕切り壁と、
上記可動側壁および上記可動仕切り壁を移動させるために上記パッケージハウスのフレーム部の複数カ所に嵌め込まれたローラと、
上記パッケージハウス内の所定の据付位置に据え付けられている上記電気機器の二側面を固定する取り外し可能なリジットな支持材とを備え、
上記パッケージハウスの輸送時には、上記パッケージハウス内の上記電気機器は、所定の据付位置において上記可動側壁、上記可動仕切り壁および上記支持材により四方を固定され、
上記パッケージハウスおよび上記電気機器の据付時には、上記支持材を取り外し、上記可動側壁を上記ローラに沿って上記パッケージハウスの側壁位置まで移動して固定すると共に、上記可動仕切り壁を上記ローラに沿って所定の位置まで移動して固定することを特徴とする電気機器収納用パッケージハウス。
【発明の詳細な説明】
【０００１】
【発明の属する技術分野】
この発明は、発電所等に設置され、屋内仕様の電気機器を収納すると共に輸送時にも対応できる電気機器収納用パッケージハウスに関するものである。
【０００２】
【従来の技術】
従来、発電所等を構成する電気機器の輸送方法としては、ユニットを構成する複数の機器を各々パッケージハウスに収納し、同一のベース上にユニットに組立て固定すると共に各機器間の接続も行った後、トレーラによって一括輸送していた。（例えば、特許文献１参照）
【０００３】
【特許文献１】
特開２０００−１８４５２７号公報（第３頁、第４図）
【０００４】
【発明が解決しようとする課題】
従来の電気機器の輸送方法では、電気機器を収納したパッケージハウスはベースに固定されて輸送時の揺れに対応していたが、パッケージハウス内の電気機器は、パッケージハウスに確実に固定されていないため、輸送時の揺れによりパッケージハウス等と接触して破損するという問題があり、特に海上輸送においては、船舶のローリング、ピッチング等による大きな横揺れや衝撃があるため、大きな問題となっていた。
【０００５】
上記問題点を解決するために、パッケージハウスと電気機器を別々に輸送して現地で組立てる方法が採用されたが、輸送費用が掛かると共に、現地での組立て時間および作業スペースが必要になるという問題があった。
また、輸送時にパッケージハウス内の電気機器をワイヤ等でパッケージハウスの壁や床に固定する方法も実施されたが、船舶のローリング、ピッチング等による横揺れや衝撃の大きさおよび方向は気象や波の状態によって大きく変わるため、通常パッケージハウス内の中央部に配置される電気機器をワイヤ等による固定だけで確実に支持することは難しく、パッケージハウスとの接触を防止するためにはパッケージハウスのサイズを大きくしなければならないなどの問題があった。
【０００６】
この発明は、上記のような問題点を解消するためになされたもので、電気機器をパッケージハウス内に収納した状態で輸送することができ、かつ輸送時における電気機器の損傷を防止できる電気機器収納用パッケージハウスを得ることを目的とする。
【０００７】
【課題を解決するための手段】
この発明に係わる発電所等に設置され、電気機器を収納する電気機器収納用パッケージハウスは、電気機器が設置され、下面に車輪を有する可動台車と、パッケージハウスの一コーナー部に一時的に配置される電気機器の二側面を固定する取り外し可能なリジットな支持材と、パッケージハウスのほぼ中央部に設けられ、可動台車に設置されている上記電気機器が据え付けられる機器据付部と、パッケージハウスの一コーナー部と機器据付部の間に敷設され、一コーナー部と機器据付部に車輪止めを有するレールとを備え、パッケージハウスの輸送時には、パッケージハウス内で可動台車に設置されている電気機器は、コーナー部の車輪止めにより可動台車の車輪が固定されると共に、コーナー部で壁および支持材により四方を固定され、パッケージハウスおよび電気機器の据付時には、支持材を取り外すと共にコーナー部の車輪止めを解除し、電気機器が設置されている可動台車をその車輪によりレールに沿って機器据付部まで移動させ、機器据付部の車輪止めにより可動台車の車輪を固定するものである。
【０００８】
【発明の実施の形態】
実施の形態１．
以下、この発明の一実施の形態である電気機器収納用パッケージハウス（以下、パッケージハウスと略記）を図について説明する。図１はこの発明の実施の形態１における電気機器を収納したパッケージハウスの輸送時（ａ）、現地での据付途中（ｂ）、現地での据付後（ｃ）の状態を示すパッケージハウス内の上面図、図２は実施の形態１によるパッケージハウスの現地での据付途中の状態を示すパッケージハウス内の側面図、図３は実施の形態１によるパッケージハウスの内部の上面図（電気機器を未収納）、図４は実施の形態１によるパッケージハウス内で電気機器を搭載する可動台車を示す平面図、図５は実施の形態１によるパッケージハウスの可動床を示す平面図、図６は実施の形態１によるパッケージハウスの構造を説明するための要部断面図である。
【０００９】
図において、パッケージハウス１は、収納する電気機器２を箱状のパッケージハウス１の一コーナー部にパッケージハウス１の壁３と取り外し可能な二個の支持材４によって固定出来るように構成されている。なお、支持材４はリジットな材料で構成され、パッケージハウス１の所定位置に取り付けられて電気機器２を部分的に面で固定できるように構成されている。
電気機器２は下面に車輪５ａおよびケーブル用開口部５ｂを有する可動台車５上に設置され、可動台車５は、上記コーナー部においては可動床６上に載置されている。
【００１０】
可動床６は上面にレール６ａおよび車輪止め６ｂ、下面に車輪６ｃが取り付けられ、電気機器２が固定される上記コーナー部を含む機器移動エリア７に敷設されたレール７ａに沿って移動する。なお、機器移動エリア７はパッケージハウス１の床面より低くなっており、機器移動エリア７上に可動床６が配置され、その可動床６の床面がパッケージハウス１の床面と同じ高さになるように構成されている。
【００１１】
可動台車５は車輪５ａにより可動床６の上面に敷設されたレール６ａおよびパッケージハウス１の床面に敷設されたレール８ａに沿って移動すると共に、レール６ａおよびレール８ａに設けられた車輪止め６ｂ、８ｂによって所定の位置に固定される。なお、レール８ａは、可動床６が機器移動エリア７の所定の位置にあるときに可動床６上のレール６ａと繋がり、可動台車５をパッケージハウスのほぼ中央部に設けられた機器据付部９に導く。機器据付部９には、ケーブル用開口部９ａが設けられている。
【００１２】
パッケージハウス１内には、エアコン１０およびエアコンダクト１１が設置され、支持部１０ａ、１０ｂによって固定されている。なお、支持部１０ａはエアコン１０の支持材であり、支持部１０ｂはエアコン１０とエアコンダクト１１の両者を同時に固定する支持材である。
パッケージハウス１には、出入り口１２と機器搬出入用ドア１３が設けられている。
【００１３】
次に、本実施の形態のパッケージハウスにおける輸送時および据付時の動作について説明する。
パッケージハウス１の輸送時には、可動台車５上に設置されている電気機器２をパッケージハウス１のコーナー部に配置し、電気機器２の二側面を壁３で、残りの二側面に各々支持材４を取り付けることにより電気機器２を四方から面で固定して揺れや衝撃から保護する（図１（ａ））。
なお、このとき、可動台車５は可動床６上に配置され、可動床６のレール６ａの車輪止め６ｂにより可動台車５の車輪５ａが固定されている。
また、電気機器２と壁３あるいは支持材４の間には必要に応じて緩衝材（図示せず）を介在させ、壁３や支持材４との接触による傷を防止する。
【００１４】
パッケージハウス１が据付場所に搬入され、パッケージハウス１の据付作業終了後、まず、支持材４を取り外し、電気機器２、可動台車５および可動床６を一体として、可動床６の車輪６ｃにより機器移動エリア７に敷設されたレール７ａに沿って所定の位置まで移動させる（図１（ｂ）、図６）。
次に、可動台車５の車輪５ａを固定している可動床６の車輪止め６ｂを解除し、電気機器２を設置している可動台車５を可動床６のレール６ａおよびパッケージハウス１の床面のレール８ａに沿って機器据付部９まで移動させ、機器据付部９の車輪止め８ｂにより可動台車５の車輪５ａを固定することにより電気機器２の据付作業が終了する（図１（ｃ））。
【００１５】
なお、電気機器２と外部ケーブル（図示せず）との接続は、パッケージハウス１の機器据付部９に設けられたケーブル用開口部９ａおよび可動台車５に設けられたケーブル用開口部５ｂを介して行われる。
また、エアコン１０およびエアコンダクト１１の支持部１０ａ、１０ｂは、輸送後もそのまま支持材として使用される。
【００１６】
本実施の形態によれば、電気機器２を収納するパッケージハウス１において、輸送時には電気機器２をパッケージハウス１の一コーナー部に配置し、壁３および支持材４により四方から面で固定することができ、据付時にはレール６ａ、７ａ、８ａに沿って車輪５ａ、６ｃを有する可動体（可動床６、可動台車５）を移動させることにより据付位置に電気機器２を容易に移動させることができるため、輸送時の電気機器２の損傷を防止することができると共に、現地での据付時には、作業スペースや移動用工具を必要とせずに短時間で容易に据付作業を行うことができる。
【００１７】
実施の形態２．
図７はこの発明の実施の形態２における電気機器を収納したパッケージハウスの輸送時の状態を示すパッケージハウス内の上面図（ａ）と側面図（ｂ）、図８は実施の形態２による電気機器を収納したパッケージハウスの据付後の状態を示すパッケージハウス内の上面図（ａ）と側面図（ｂ）、図９は実施の形態２によるパッケージハウスの構造を説明するための図で、（ａ）はパッケージハウス内の側面図、（ｂ）および（ｃ）は部分拡大図である。
【００１８】
図において、パッケージハウス１は、収納する電気機器２を、箱状のパッケージハウス１を構成する一つの可動側壁２１とパッケージハウス１内部の可動仕切り壁２２、および取り外し可能な二個の支持材２３を用いて電気機器２の四方を囲むことにより固定出来るように構成されている。なお、支持材２３はリジットな材料で構成され、パッケージハウス１の所定位置に取り付けられて電気機器２を部分的に面で固定できるように構成されている。
可動側壁２１および可動仕切り壁２２はローラ２４等の滑り性を高める器具をパッケージハウス１のフレーム部の複数カ所に嵌め込むことにより容易に移動できるように構成されている。
可動側壁２１には出入り口２１ａが設けられ、可動仕切り壁２２には、出入り口２２ａおよび据付後にエアコンダクト１１と嵌合する開口部２２ｂが設けられている。
なお、図１と同一部分については同符号を付し説明を省略する。
【００１９】
次に、本実施の形態のパッケージハウスにおける輸送時および据付時の動作について説明する。
パッケージハウス１の輸送時には、パッケージハウス１内の所定の位置に据え付けられている電気機器２の両側にパッケージハウス１を構成する四方の側壁の内の一つの可動側壁２１およびパッケージハウス１内部に設けられた可動仕切り壁２２を移動させ、残りの二面に各々支持材２３を取り付けることにより、電気機器２を四方から面で固定して揺れや衝撃から保護する（図７）。
なお、電気機器２と可動側壁２１、可動仕切り壁２２あるいは支持材２３の間には必要に応じて緩衝材（図示せず）を介在させ、可動側壁２１、可動仕切り壁２２や支持材２３との接触による傷を防止する。
【００２０】
パッケージハウス１が据付場所に搬入され、パッケージハウス１の据付作業終了後、まず、支持材２３を取り外す。次に、可動側壁２１をパッケージハウス１の外壁位置までローラ２４に沿って移動させて固定すると共に、可動仕切り壁２２をその開口部２２ｂがエアコンダクト１０と嵌合する位置までローラ２４に沿って移動させて固定する（図８）。
【００２１】
本実施の形態によれば、電気機器２を収納するパッケージハウス１において、輸送時には所定の位置に据え付けられている電気機器２の四方を可動側壁２１、可動仕切り壁２２および支持材２３により面で固定することができ、据付時にはパッケージハウス１のフレーム部に嵌め込まれたローラ２４等を用いて可動側壁２１および可動仕切り壁２２を据付時の所定の位置に容易に戻すことができるため、輸送時の電気機器２の損傷を防止することができると共に、現地での据付時には、作業スペースや移動用工具を必要とせずに短時間で容易に据付作業を行うことができる。
【００２２】
【発明の効果】
以上のように、この発明によれば、発電所等に据え付けられて電気機器を収納するパッケージハウスにおいて、パッケージハウスの輸送時には収納している電気機器をパッケージハウスのコーナー部で壁面と支持材を用いて四方から面で固定することができ、据付時にはパッケージハウスの床部に敷設したレールに沿って電気機器を設置している車輪を有する可動体を移動させることにより容易に据付位置に電気機器を移動させることができるため、輸送時のパッケージハウス内の電気機器の損傷を防止することができると共に、現地での据付時には、作業スペースや移動用工具を必要とせずに短時間で容易に据付作業を行うことができる。
【図面の簡単な説明】
【図１】この発明の実施の形態１による電気機器収納用パッケージハウスの内部を示す上面図である。
【図２】この発明の実施の形態１による電気機器収納用パッケージハウスの内部を示す側面図である。
【図３】この発明の実施の形態１による電気機器収納用パッケージハウスの内部を示す上面図（電気機器を未収納）である。
【図４】この発明の実施の形態１による電気機器収納パッケージハウス内で電気機器を搭載する可動台車を示す平面図である。
【図５】この発明の実施の形態１による電気機器収納パッケージハウスの可動床を示す平面図である。
【図６】この発明の実施の形態１による電気機器収納パッケージハウスの構造を説明するための要部断面図である。
【図７】この発明の実施の形態２による電気機器収納用パッケージハウスの輸送時の状態を示す図である。
【図８】この発明の実施の形態２による電気機器収納用パッケージハウスの据付後の状態を示す図である。
【図９】この発明の実施の形態２による電気機器収納用パッケージハウスの構造を説明するための図である。
【符号の説明】
１  パッケージハウス、２  電気機器、３  壁、４  支持材、
５  可動台車、５ａ  車輪、５ｂ  ケーブル用開口部、
６  可動床、６ａ  レール、６ｂ  車輪止め、６ｃ  車輪、
７  機器移動エリア、７ａ  レール、８ａ  レール、８ｂ  車輪止め、
９  機器据付部、９ａ  ケーブル用開口部、
１０  エアコン、１０ａ  支持部、１０ｂ  支持部、１１  エアコンダクト、
１２  出入り口、１３  機器搬出入用ドア、
２１  可動側壁、２１ａ  出入り口、２２  可動仕切り壁、２２ａ  出入り口、
２２ｂ  開口部、２３  支持材、２４  ローラ。
【図１】
2004173448.tif 000003
【図２】
2004173448.tif 000004
【図３】
2004173448.tif 000005
【図４】
2004173448.tif 000006
【図５】
2004173448.tif 000007
【図６】
2004173448.tif 000008
【図７】
2004173448.tif 000009
【図８】
2004173448.tif 000010
【図９】
2004173448.tif 000011